(57)【要約】      （修正有）【課題】病気患者や外国人などが、屋外で突発的発症や何等かの外的要因によって情報伝達行動が不可能に陥った場合に、その身元を第三者に伝えるための手段を提供する。【解決手段】あらかじめ被捜索者の個人情報もしくは被捜索物の所有者情報を、コンテンツ・マネジメント・システム４の登録画面から登録し、その個人情報を数列や文字列の情報を変換したコード化した画像をバンドに組み込み表示する。被捜索者もしくは被捜索物の身体の一部にこのバンドを装着する。このバンド表面上に表示されている数列や文字列の情報を変換したコード画像部分を、捜索者が携帯情報端末１の読み取りソフトウェアで読み取り、そのコードに記されたインターネット上の場所にアクセスすることで、被捜索者の個人情報を取得することで被捜索者に対する適切な一次対応が行えたり、または被捜索物の所有者情報を取得することで紛失物の確保を行えるようにする。【選択図】図１
2019008447.tif 000002
【特許請求の範囲】
【請求項１】
被捜索者の個人情報もしくは被捜索物の所有者情報を登録する登録装置と、前記登録情報をWebページとして自動生成するWebページ自動生成装置と、前記Webページのインターネット上の場所を数列や文字列の情報を変換したコードを画像ファイルとして自動発行する装置と、前記登録装置の画面及び個人情報もしくは所有者情報を表示するWebページにアクセスを許可する権限発行装置によって構成されるコンテンツ・マネジメント・システムと、
前記画像ファイルとして自動発行された数列や文字列の情報を変換したコードを特殊加工によって組み込み、被捜索者もしくは被捜索物が身体に装着するバンドと、
前記数列や文字列の情報を変換したコードが組み込まれたバンドを、捜索者がスキャンすることで被捜索者の個人情報もしくは被捜索物の所有者情報を知り得ることを可能とする携帯情報端末からなる個人情報捜索システム。
【請求項２】
請求項１記載の、Webページを自動生成するために、Webページに表示する文字テキストや写真画像ファイルを格納するデータベース装置と、Webページを表示する際のレイアウト情報を持つページテンプレートファイルと、データベースに格納された前記文字テキストや写真画像ファイルらの情報を呼び出し、ページテンプレートファイル内に配置指示するコモン・ゲートウェイ・インターフェースプログラムによって構成されることを特徴とするWebページ自動生成装置。
【請求項３】
請求項１記載の、Webページ内の所定の場所へ配置表示させるために、被捜索者の個人情報もしくは被捜索物の所有者情報をデータベースへ登録格納するための情報登録の画面で、個別の被捜索者を識別するための情報の項目、例えば、氏名、年齢、住所、緊急時の連絡先、血液型、既往症、かかりつけの医療機関情報などの文字テキスト情報、写真画像ファイルその他を登録したり、登録済みの被捜索者の個人情報もしくは被捜索物の所有者情報の表示の確認や、情報の編集作業、削除指示作業を行うことを可能にする被捜索者の個人情報もしくは被捜索物の所有者情報を登録する登録装置。
【請求項４】
請求項１記載の、情報登録画面から登録された被捜索者の個人情報もしくは被捜索物の所有者情報は、データベースに格納されると、Webページとして表示させるために、インターネット上の場所の情報を、第三者に推測され得ないランダムな文字列として自動的に割り当て、さらに前記のインターネット上の場所の情報を数列や文字列の情報を変換したコード（一次元、二次元ほか）による画像ファイルとして生成し、情報管理画面に画像ファイルとして自動発行するWebページのインターネット上の場所を数列や文字列の情報を変換したコードを画像ファイルとして自動発行する装置。
【請求項５】
請求項１記載の、前記の被捜索者個人情報及び被捜索物の所有者情報登録画面が、機密性の高い情報を扱う性質上、その登録作業と閲覧行為を可能とする操作者は限定するため、登録被捜索者全情報管理者、被捜索者の情報登録編集者及び情報閲覧者、捜索者らによってアクセス権限を付与する必要性があり、各権限ごとに、使用可能な操作機能を分け、また、個別に、アクセスする際に、コンテンツ・マネジメント・システムがリクエストに対して入力を要求するためのIDとパスワードを発行する被捜索者の個人情報もしくは被捜索物の所有者情報を登録する登録装置にアクセスを許可する権限発行装置。
【請求項６】
請求項１記載の、長時間におよぶ装着が想定されるため、精神的肉体的抵抗感を極力回避するために、合成樹脂製などの素材により円形に成型された形状で、身体もしくは固体の一部に装着し、
被捜索者もしくは被捜索物が装着したバンドの表面部分に、前記コンテンツ・マネジメント・システムで生成された数列や文字列の情報を変換したコードを透明プラスチック素材で加工したものを組み込み表示させる被捜索者もしくは被捜索物が身に着けるバンド。
【請求項７】
請求項1〜6のいずれかに記載の個人又は物体情報探索システムを用いて、
前記バンドに組み込まれた数列や文字列の情報を変換したコードに対して、捜索者が所持する携帯情報端末のコードリーダーソフトウェアでスキャンをすると、特定の捜索者にのみに閲覧を許可するための専用のID及びパスワードの入力の要求を行うプログラムが前記コンテンツ・マネジメント・システムから実行され、捜索者は予め通達されているID及びパスワード情報を入力画面に入力すると、その入力情報がプログラムで正と判断した場合のみ、被捜索者の個人情報もしくは被捜索物の所有者情報が前記のWebページとして表示され、被捜索者の個人情報もしくは被捜索物の所有者情報の閲覧を可能とする個人又は物体の探索方法。
【発明の詳細な説明】
【技術分野】
【０００１】
本発明は、一般社会生活における人命支援及び救助、紛失物の捜索に関する。
【背景技術】
【０００２】
これまで既往症をもつ人が屋外にいる状況で、何等かのタイミングで発症し対話も不可能な状態に陥ったり、第三者に支援を求めようとする場合、あらかじめその個人の持つ既往症や病院、緊急連絡先を記した名札等を身に着けたりする傾向にある。
【発明の概要】
【発明が解決しようとする課題】
【０００３】
これまで既往症や痴呆症などのある人が一般社会で生活をする中で、突発的発症や外的要因によって情報伝達が不可能に陥った場合に、個人の持つ病気の情報を第三者が知り得る方法がなかったため、誤った対応や治療法が行われ、生命に関わる事態に進行してしまうケースがあった。また、個人情報を名札などを身に着けることなどによる個人情報漏洩に関する懸念もあった。
【０００４】
本発明は、既往症や痴呆症などの発症によって本人の意に反して対話の手段を喪失した患者や、未成熟のために対話能力が不十分な子供などのいわゆる被捜索者や、対話コミュニケーションが成立出来得ない愛玩動物、所有物等被捜索物に対して、身に着ける個人情報もしくは所有者情報の付与と、それをセキュアな方法で捜索者に伝達させることを目的としている。
【課題を解決するための手段】
【０００５】
この個人情報捜索システムは、被捜索者の個人情報もしくは被捜索物の所有者情報を登録する登録装置と、前記登録情報をWebページとして自動生成するWebページ自動生成装置と、前記Webページのインターネット上の場所を数列や文字列の情報を変換したコードを画像ファイルとして自動発行する装置と、前記登録装置の画面及び個人情報もしくは所有者情報を表示するWebページにアクセスを許可する権限発行装置によって構成されるコンテンツ・マネジメント・システムと、
前記画像ファイルとして自動発行された数列や文字列の情報を変換したコードを特殊加工によって組み込み、被捜索者もしくは被捜索物が体に装着するバンドと、
前記数列や文字列の情報を変換したコードが組み込まれたバンドを、捜索者がスキャンすることで被捜索者の個人情報もしくは被捜索物の所有者情報を知り得ることを可能とする携帯情報端末からなることが望ましい。
【０００６】
Webページ自動生成装置は、Webページを自動生成するために、Webページに表示する文字テキストや写真画像ファイルを格納するデータベース装置と、Webページを表示する際のレイアウト情報を持つページテンプレートファイルと、データベースに格納された前記文字テキストや写真画像ファイルらの情報を呼び出し、ページテンプレートファイル内に配置指示するコモンゲートウェイインターフェースプログラムによって構成されることが望ましい。
【０００７】
被捜索者の個人情報もしくは被捜索物の所有者情報を登録する登録装置は、Webページ内の所定の場所へ配置表示させるために、被捜索者の個人情報もしくは被捜索物の所有者情報をデータベースへ登録格納するための情報登録の画面は、個別の被捜索者もしくは被捜索物を識別するための情報の項目、例えば、氏名、年齢、住所、緊急時の連絡先、血液型、既往症、かかりつけの医療機関情報などの文字テキスト情報、写真画像ファイルその他を登録したり、登録済みの被捜索者もしくは被捜索物の情報の表示の確認や、情報の編集作業、削除指示作業を行うことが望ましい。
【０００８】
Webページのインターネット上の場所を数列や文字列の情報を変換したコードを画像ファイルとして自動発行する装置は、情報登録画面から登録された被捜索者の個人情報もしくは被捜索物の所有者情報は、データベースに格納されると、Webページとして表示させるために、インターネット上の場所の情報を、第三者に推測され得ないランダムな文字列として自動的に割り当て、さらに前記のインターネット上の場所の情報を数列や文字列の情報を変換したコード（一次元、二次元ほか）による画像ファイルとして生成し、情報管理画面に画像ファイルとして自動発行することが望ましい。
【０００９】
被捜索者の個人情報もしくは被捜索物の所有者情報を登録する登録装置にアクセスを許可する権限発行装置は、前記の被捜索者個人情報及び被捜索物の所有者情報登録画面が、機密性の高い情報を扱う性質上、その登録作業と閲覧行為を可能とする操作者は限定するため、登録被捜索者全情報管理者、被捜索者の情報登録編集者及び情報閲覧者、捜索者らによってアクセス権限を付与する必要性があり、各権限ごとに、使用可能な操作機能を分け、また、個別に、アクセスする際に、コンテンツ・マネジメント・システムがリクエストに対して入力を要求するためのIDとパスワードを発行することが望ましい。
【００１０】
被捜索者の個人情報もしくは被捜索物の所有者情報を登録する登録装置にアクセスを許可する権限発行装置は、前記の被捜索者個人情報及び被捜索物の所有者情報登録画面が、機密性の高い情報を扱う性質上、その登録作業と閲覧行為を可能とする操作者は限定するため、登録被捜索者全情報管理者、被捜索者の情報登録編集者及び情報閲覧者、捜索者らによってアクセス権限を付与する必要性があり、各権限ごとに、使用可能な操作機能を分け、また、個別に、アクセスする際に、コンテンツ・マネジメント・システムがリクエストに対して入力を要求するためのIDとパスワードを発行することが望ましい。
【００１１】
被捜索者もしくは被捜索物が身に着けるバンドは、長時間におよぶ装着が想定されるため、精神的肉体的抵抗感を極力回避するために、合成樹脂製などの素材により円形に成型された形状で、身体もしくは固体の一部に装着し、
被捜索者もしくは被捜索物が装着したバンドの表面部分に、前記コンテンツ・マネジメント・システムで生成された数列や文字列の情報を変換したコードを透明プラスチック素材で加工したものを組み込み表示させることが望ましい。
【００１２】
バンドに組み込まれた数列や文字列の情報を変換したコードに対して、捜索者が所持する携帯情報端末のコードリーダーソフトウェアでスキャンをすると、被捜索者の個人情報もしくは被捜索物の所有者情報が前記のWebページとして表示され、被捜索者の個人情報もしくは被捜索物の所有者情報の閲覧を可能とし、
この際、セキュリティ的観点から、捜索者が携帯情報端末で、被捜索者の個人情報もしくは被捜索物の所有者情報を記載したWebページを表示させる前、アクセス時に、特定の捜索者にのみに閲覧を許可するための専用のID及びパスワードの入力の要求を行うプログラムが前記コンテンツ・マネジメント・システムから実行され、捜索者が入力したIDとパスワード情報がプログラムによる照合によって正と判断された場合のみ、アクセスと操作を許可することが望ましい。
【発明の効果】
【００１３】
この個人情報や物体の所有者情報を表示させるためのシステムへの情報登録と、左記に紐づく専用の数列や文字列の情報を変換したコード付きバンドを個人や物体の身体の一部に装着所持することによって、連絡先の不明な、既往症などを持つ人物の屋外での体調異変に対する対応の遅れや、紛失物を未然に防ぐことが見込まれる。
【００１４】
被捜索者の個人情報もしくは被捜索物の所有者情報を表示させるWebページ画面は、レイアウトが定型のテンプレートファイルをシステムが都度データベースから情報テキスト部分を抽出して自動で作成するため、操作者のWebページ新規作成、情報登録及び編集作業には、Webページ言語であるハイパーテキストメイクアップランゲージの知識の無い人でも容易に作成が出来、登録作業の効率化を図ることが可能である。
【００１５】
捜索者が携帯情報端末で、被捜索者の個人情報もしくは被捜索物の所有者情報を表示させるWebページにアクセスして情報を取得しようとする場合、これまでのインターネット上の場所を、携帯情報端末のWebページ閲覧ソフトウェアであるインターネットブラウザのURL入力欄に英数字で入力をしてアクセスしていたが、このインターネット上の場所を数列や文字列の情報を変換したコードにすることで、短時間で容易に被捜索者の個人情報もしくは被捜索物の所有者情報を表示するWebページへアクセスすることが出来るようになる。
【００１６】
バンドは軽量で柔軟性がある形状のため、被捜索者にとっての精神的負荷を軽減することが見込まれる。
被捜索者もしくは被捜索物が身に着けるバンドに組み込まれて表示されている数列や文字列の情報を変換したコードは、携帯情報端末のコードリーダーソフトウェアでスキャンが可能であるが、アクセスの際に特定のキーワード認証を行うことでアクセス及び情報表示が許可されるため、情報の安全性は保たれる。
【図面の簡単な説明】
【００１７】
【図１】個人の情報を格納し表示させるためのコンテンツ・マネジメント・システムのシステム構成図
【図２】情報登録画面図
【図３】情報登録管理画面上での数列や文字列の情報を変換したコード画像表示図
【図４】被捜索者個人情報一覧表示画面
【図５】バンド図
【発明を実施するための形態】
【００１８】
以下、本発明の実施の形態を図1〜４に基づいて説明する。
図１は、本発明の個人情報探索システムの全体構成図である。
この個人情報探索システムは、データセンター内の所定サーバに設置された、被捜索者の個人情報もしくは被捜索物の所有者を格納するコンテンツ・マネジメント・システム４と、インターネット網３を介して、コンテンツ・マネジメント・システム４へアクセスし被捜索者の個人情報の管理を行うためのパーソナルコンピュータ２、捜索者が被捜索者や被捜索物の装着している数列や文字列の情報を変換したコードが組み込まれて表示されているバンドのコードを読み取ることで、被捜索者の個人情報もしくは被捜索物の所有者情報を取得確認するための携帯情報端末１で構成される。  
なお、コンテンツ・マネジメント・システム４は、被捜索者の個人情報もしくは被捜索物の所有者情報を登録格納するデータベース６と、被捜索者の個人情報もしくは被捜索物の所有者情報をインターネット経由でWebページとして携帯情報端末１に表示させるためのWebページ生成プログラム５並びに、前記Webページのインターネット上の場所情報を数列や文字列の情報を変換したコード化し発行させるプログラム７、被捜索者の個人情報もしくは被捜索物の所有者情報を登録、編集、削除を行うための情報登録管理プログラム９、被捜索者の個人情報もしくは被捜索物の所有者情報を閲覧する捜索者のアクセス権限と、被捜索者の個人情報もしくは被捜索物の所有者情報を閲覧したり編集する操作者の操作権限の可能範囲を個人単位で設定し、前記権限に基づき捜索者及び操作者単位で個別にIDとパスワードを発行するシステム操作権限発行プログラム８で構成される。
【００１９】
本システムを実施するためには、上記のパーソナルコンピュータ２からインターネット網３を介して認証ログイン画面を経てコンテンツ・マネジメント・システム４へアクセスし、被捜索者個人情報登録編集画面１０において、被捜索者の個人情報もしくは被捜索物の所有者情報の登録を行わなければならない。
上記の登録すべき個人情報の項目は、姓名、性別、生年月日、緊急連絡先電話番号１（親族等身内）、緊急連絡先電話番号２（かかりつけ病院等）、既往症情報、その他自由文言入力欄であり、形式はテキスト形式、被捜索者が何よりも優先して生命の危機を回避するための手立てを講じるための情報である必要がある。
上記の被捜索者個人情報登録編集画面１０で入力された項目のテキスト情報は、被捜索者個人情報データベース６に格納され、同時に、登録された個人情報単位での内部ID、捜索者の携帯情報端末１に表示させるWebページIDを割り振る。
【００２０】
さらに、Webページのインターネット上の場所、そしてWebページのインターネット上の場所情報を自動で数列や文字列の情報を変換したコード化し発行させる数列や文字列の情報を変換したコード生成及び画像発行プログラム７が、そのインターネット上の場所情報を、数列や文字列の情報を変換したコード画像として自動生成して被捜索者個人情報表示画面１１に表示させる。
【００２１】
捜索者が被捜索者の個人情報もしくは被捜索物の所有者情報を取得する場合には、捜索者が身に着けているバンド１３に組み込まれた上記の数列や文字列の情報を変換したコード画像を、被捜索者が所有する携帯情報端末１のコード読み取り機能で読み取ることで、携帯情報端末１はコードに埋め込まれた捜索者の個人情報を表示するWebページのインターネット上の場所へアクセスし、コンテンツ・マネジメント・システム４に対して、被捜索者の個人情報もしくは被捜索物の所有者情報を掲載したWebページを、捜索者の携帯情報端末１のブラウザに表示するためのリクエストを行う。
このリクエストを受けて、さらにコンテンツ・マネジメント・システム４からの指示で、携帯情報端末１に表示させるためのWebページ生成プログラム５が、Webページ上の情報表示レイアウトを定めたページテンプレートファイルと、リクエスト対象となる個人情報の各情報項目テキストを被捜索者個人情報データベース６から呼び出し、インターネット網３を介して捜索者の個人情報を掲載したWebページとして被捜索者の携帯情報端末１のブラウザに表示する。
これに対して、捜索者が携帯情報端末１でリストバンド１３の数列や文字列の情報を変換したコード画像をスキャンして被捜索者の個人情報もしくは被捜索物の所有者情報を表示するWebページへアクセスするときには、捜索者読み取り専用のログイン認証（ID、パスワード）を携帯情報端末１の画面に要求し、操作者が正しい認証情報を入力した場合のみ、被捜索者の個人情報もしくは被捜索物の所有者情報を表示させる。
【００２２】
図2の被捜索者個人情報登録編集画面１０は、被捜索者の個人情報もしくは被捜索物の所有者情報を登録、編集、削除を行うための情報管理機能である。
操作者が新規の個人情報を登録しようとする場合は、まず、ログイン認証を経て被捜索者個人情報一覧表示画面１２へアクセスし、被捜索者個人情報一覧表示画面１２画面内の新規登録操作キーを選択して被捜索者個人情報登録編集画面１０へ遷移して新規の個人情報登録作業を行う。
操作者は、被捜索者個人情報登録編集画面１０において、必要情報項目にテキスト形式で入力作業を行い、一通りの入力が完了したら確認画面を表示させ、入力した内容に誤りが無ければ本登録として個人情報の、被捜索者個人情報データベース６への正式格納がされる。
被捜索者個人情報データベース６への正式な格納が完了すると、被捜索者個人情報表示画面１１へ自動遷移し、画面上には数列や文字列の情報を変換したコード画像が発行されて表示画面内に数列や文字列の情報を変換したコード画像と当該数列や文字列の情報を変換したコード画像ファイルをダウンロードするための操作キーが表示される。
被捜索者の個人情報もしくは被捜索物の所有者情報の一部、またはそのすべてを変更したい場合は、情報編集操作キーにより、被捜索者個人情報登録編集画面１０へ移行して正しい情報を再入力する。
なお、この際、数列や文字列の情報を変換した数列や文字列の情報を変換したコード情報には変更が起こらないため、数列や文字列の情報を変換したコード関連情報（インターネット上の位置情報、コード画像）は変更されず、個人情報のアップデートを行うことが可能となる。
また、被捜索者の個人情報もしくは被捜索物の所有者情報を削除したい場合は、該当の個人情報項目の削除操作キーによって、アラート画面を経て該当の個人情報の削除が実行される。ただし、この削除操作キーはシステム操作権限発行プログラム８管理下にあり、最下位レイヤー権限には操作は許可されていない。
なお、被捜索者探索システムの運営を安全に、尚且つ容易な作業によって実現するために、情報登録管理プログラム９で、視認性を高く各機能操作キーを判別しやすくレイアウトし、操作者による誤操作や情報改竄を防ぐために、二段階での情報登録工程（確認画面を表示後に本登録）や、システム操作権限発行プログラム８による権限機能に基づき操作機能（編集、削除実行機能）や閲覧（閲覧可能範囲）の制限を行う。
【００２３】
図3の被捜索者個人情報表示画面１１は、対象の個人情報の各項目の情報がテキストで一覧表示と、数列や文字列の情報を変換したコード画像と、そのコード画像をダウンロードするための操作キーを表示させる。
また、この画面には登録済みとして、その情報を修正変更するための情報編集の編集操作キーがあり、必要に応じて操作者が左記操作キーを選択することで、被捜索者個人情報登録編集画面１０に遷移して情報変更及び再登録を行うことができる。
【００２４】
図4の被捜索者個人情報一覧表示画面１２は、上記の被捜索者個人情報登録編集画面１０での操作により、既に被捜索者個人情報データベースに登録済みとなっている被捜索者個人情報もしくは被捜索物の所有者情報の一覧を表示させる画面である。
画面には、被捜索者の個人情報もしくは被捜索物の所有者情報が、ID、氏名の対で１件の情報として、一覧表示されており、各情報の右側には、操作者が個別の個人情報を編集するときの編集操作キーを配置している。この編集操作キーは、操作者の権限による機能制限を目的として、システム操作権限発行プログラム８によって最下位権限レベルにおいては表示がされないため、その場合は個人情報の閲覧のみの機能が実施される。
上記の編集操作キーを選択した場合は、被捜索者個人情報登録編集画面１０に遷移して編集必要項目の編集作業を行うこととなる。
被捜索者個人情報一覧表示画面１２には、操作者が登録済みの被捜索者個人情報を探す場合に、画面内のページ送りリンクを辿って対象の個人情報を探すことと、作業の効率化をはかるための、個人情報検索機能による表示を行うことができる検索ウインドウが装備されている。操作者がこの検索機能によって対象の個人情報を探そうとする場合、検索ウインドウに、テキストで被捜索者登録ID、もしくは、氏名、住所等の被捜索者個人情報登録編集画面１０で登録した情報のすべて、もしくは一部を入力し検索キーを選択することで、被捜索者個人情報データベースから対象の個人情報の候補を一覧で表示させ、その中から該当の情報を選んで被捜索者個人情報表示画面１１を閲覧の上、必要に応じて被捜索者個人情報登録編集画面１０へ遷移して編集作業を行える。
また、この被捜索者個人情報一覧表示画面１２は、被捜索者個人情報操作における最初の画面であり、システム操作権限発行プログラム８によって発行されたログインID及びパスワードでのみアクセスすることが出来、第三者がログインをできないようにする。併せて、あらかじめ情報登録管理プログラム９のWeb操作画面領域においては、世界標準のSSL（セキュアソケッツレイヤー）ソフトウェアを組み込んであり、高度な暗号化通信を行うことで、第三者の傍受を防ぐ環境下での安全な操作を行えるようにしている。
このシステム操作権限発行プログラム８は、被捜索者の個人情報もしくは被捜索物の所有者情報を閲覧したり編集する操作者の操作権限可能範囲を個人単位で設定し、前記権限に基づき操作者単位で個別にIDとパスワードを発行している。
例えば、上位権限では被捜索者の個人情報もしくは被捜索物の所有者情報の閲覧や編集、削除機能に制限は無く、一方で下位権限では登録済み被捜索者の一部のみの閲覧だけを可能にするなど、操作者のレイヤーを細分化して各レイヤーにおける操作権限を与える。
【００２５】
図5 は数列や文字列の情報を変換したコード画像を組み込んだバンド１２であり、その例示である。
バンド１２は、長時間におよぶ装着が想定されるため、精神的、肉体的抵抗感を極力回避するために、合成樹脂製などの伸縮性あり皮膚に抵抗感の少ない素材により円形に成型された形状で、被捜索者の左右どちらか一方の手首もしくは足首部分などに装着する。
バンド１２の表面部分には、前記コンテンツ・マネジメント・システム４で生成し個人情報表示画面１１に表示させた数列や文字列の情報を変換したコード画像を、個人情報登録編集作業を行う操作者が被捜索者個人情報表示画面１１からダウンロードし、バンド製造工程において、四角形の透明プラスチック素材でコード画像の上面と下面を挟み込み、防水の特殊プレス加工をし、リストバンド１２のコード画像表示部への組み込みを行うことで被捜索者へのリストバンド提供を行う。
【符号の説明】
【００２６】
１…携帯情報端末
２…パーソナルコンピュータ
３…インターネット網
４…コンテンツ・マネジメント・システムサーバ
５…Webページ生成プログラム
６…データベース
７…数列や文字列の情報を変換したコード生成及び画像発行プログラム
８…システム操作権限発行プログラム
９…情報登録管理プログラム
１０…個人情報登録編集画面
１１…個人情報表示画面
１２…個人情報一覧表示画面
１３…バンド（外観）
【図１】
2019008447.tif 000003
【図２】
2019008447.tif 000004
【図３】
2019008447.tif 000005
【図４】
2019008447.tif 000006
【図５】
2019008447.tif 000007